(57)【要約】【課題】  一体成形でき、快速に大量生産することが可能になり、運行の抵抗が小さくなり、リニアガイドウェーの運動をスムーズにすること。【解決手段】  リニアシステムの回流通路内に位置し、仕切部と、連接部と、保持部とを含むリニアガイドウェー用パレラル式ローラ仕切具において、前記仕切部は、薄くて長いものであり、ローラの間に介在し、前記連接部は、仕切部と保持部とを連結する構造であり、前記保持部は、直列に配列された多数のローラの一側に設けられ、各連接部と一体に連接し、そして仕切部と連接部と保持部とを一体成形した。【選択図】  図４
2007010111.tif 000002
【特許請求の範囲】
【請求項１】
リニアシステムの回流通路内に移動し、仕切部と、連接部と、保持部とを含むリニアガイドウェー用パレラル式ローラ仕切具において、
前記仕切部は、薄くて長いものであり、ローラの間に介在し、
前記連接部は、仕切部と保持部とを連結する構造であり、
前記保持部は、直列に配列された多数のローラの一側に設けられ、各連接部と一体に連接し、そして仕切部と連接部と保持部とは一体成形されたものであることを特徴とする、
リニアガイドウェー用パレラル式ローラ仕切具。
【請求項２】
前記仕切部の二つの側面はゴシック円弧断面形状凹面であり、前記仕切部はゴシック円弧断面形状凹面でローラの表面に対応することを特徴とする、請求項１に記載のリニアガイドウェー用パレラル式ローラ仕切具。
【請求項３】
リニアシステムの回流通路内に移動し、且つ回流通路内の溝に合うために、前記連接部と保持部との高さはリニアシステムの回流通路内の溝よりも低いことを特徴とする、請求項１又は２に記載のリニアガイドウェー用パレラル式ローラ仕切具。
【発明の詳細な説明】
【技術分野】
【０００１】
本発明は、ローラを転がり素子とするリニア部材のローラ仕切具に係り、特に、仕切部と保持部と連接部との三つの部位の設計により、一体成形が容易になり、快速で大量に生産することが可能になり、ローラ同士の摩擦や衝突やズレを回避でき、パレラル式連接部が多数のローラの一側に設けられることにより、リニアガイドウェーの伝動が順調になるリニアガイドウェー用パレラル式ローラ仕切具に関するものである。
【背景技術】
【０００２】
目下、一般の市販しているリニアガイドウェーに採用されたローラ仕切具は、およそ三種類が知られている。
【０００３】
その一種類目は、図１に示すように、ローラ１０の二つの端面に保持チェーン１２が取付けられたもので、その保持チェーン１２の作製方法は、ローラ１０をモードの核心と見られ、まず、ローラ１０をモード内に設置して、樹脂を射出成形する。しかしながら、このようなローラ仕切具（日本特許第３４３６７０８号と米国特許ＵＳ６６２６２７２）には下記の欠点がある。
【０００４】
（１）ローラ１０の入れた数量は保持チェーン１２の寸法によって変化し、保持チェーン１２が長い場合には、ローラ１０の入れた数量は多くなり、生産工数は長くなるので、この構成を持つ製品に使用されるローラ１０の必要な数量は多くなる。
【０００５】
（２）ローラ１０に保持チェーン１２を取付けることは、工数がかなり掛かる。
【０００６】
（３）保持チェーン１２は仕切部１１を有し、前記仕切部１１は二つの凹面でローラ１０に対応し、また前記仕切部１１の凹面の曲率半径はローラ１０の半径と同じであるので、前記仕切部１１はローラ１０と面接触し、摩擦抵抗が大幅に向上するので、隣接するローラは持続に衝突し、保持チェーンは伸びたり短縮したりすることにより、保持チェーンが疲労破壊し易い。
【０００７】
またその二種類目は、図２に示すように、ローラ１０の間には仕切機構１３が取付けてある。各仕切機構１３にはローラ１０の側面から挿入して枢着する保持部１３１が二つ設けてあり、ローラの互いの摩擦を防止するために、ローラ１０の間には条状部１４が設けてあり、且つ仕切機構１３が左右交錯にローラ１０の側面に取り付けられる。すなわち、各ローラ１０の両端には仕切機構１３が設けてある。しかしながら、このような仕切機構１３（米国特許ＵＳ３９６４８０２）は下記の欠点がある。
【０００８】
（１）このような製品は、保持部１３１を嵌め込むために、ローラ１０の二つの端面に穴開けることが必要であり、製造コストが向上になり、且つローラ１０の強度も低下になる。
【０００９】
（２）凹面を持つ仕切部と比較すると、このような仕切機構１３と条状部１４との占めるスペースがより多く、レールの長さが同じな場合には、ローラ１０の数量がより少ないので、リニアガイドウェーの負荷能力と剛性とが低減になる。
【００１０】
（３）リニアガイドウェー内の仕切機構１３は一体成形されたものではないので、仕切機構１３を一個一個で取付けるが必要になり、生産性が良くない。
【００１１】
その三種類目は、図３に示すように、ローラ１０の間には連接部１５が取付けてあり、前記連接部１５がローラの直径方向に取付けられ、なお、前記連接部１５によりローラ１０の負荷面が同じの二部分に分けられた。しかしながら、このような連接部１５（日本特開平１１-３５１２５４号と米国特許ＵＳ６３９０６７８）は下記の欠点がある。
【００１２】
（１）ローラ１０の直径方向はもっとも重要な負荷方向であるが、連接部１５はローラ１０の直径方向に位置するので、ローラとブロックにある溝との接触面積は大幅に低減になり、だから、リニアガイドウェーの負荷能力と剛性とが低減になる。
【００１３】
（２）回流チューブにおいて、重力によって連接部１５は溝を干渉し易くて摺動摩擦が発生するので、転がりの順調性が悪くなる。
【００１４】
だから、上記のものによれば、リニアガイドウェーは長期で安定に使用することができない。
【発明の開示】
【発明が解決しようとする課題】
【００１５】
本発明の主な目的は、一体成形でき、快速に大量生産することが可能になるリニアガイドウェー用パレラル式ローラ仕切具を提供することにある。
【００１６】
本発明の他の目的は、運行の抵抗が小さくなり、リニアガイドウェーの運動がスムーズになるリニアガイドウェー用パレラル式ローラ仕切具を提供することにある。
【００１７】
本発明の他の目的は、転がる過程中に、ローラがズレしたり、摩擦したり、衝突したり、ジャンプしたりすることを回避できるリニアガイドウェー用パレラル式ローラ仕切具を提供する。
【課題を解決するための手段】
【００１８】
上記目的を達成するためになされた本願の発明は、リニアシステムの回流通路内に移動し、仕切部と、連接部と、保持部とを含むリニアガイドウェー用パレラル式ローラ仕切具において、前記仕切部は、薄くて長いものであり、ローラの間に介在し、前記連接部は、仕切部と保持部とを連結する構造であり、前記保持部は、直列に配列された多数のローラの一側に設けられ、各連接部と一体に連接し、そして仕切部と連接部と保持部とは一体成形されたものであることを特徴とするリニアガイドウェー用パレラル式ローラ仕切具であることを要旨としている。
【００１９】
本願の発明では、前記仕切部の二つの側面はゴシック円弧断面形状凹面であり、前記仕切部はゴシック円弧断面形状凹面でローラの表面に対応することを特徴とする請求項１に記載のリニアガイドウェー用パレラル式ローラ仕切具であることを要旨としている。
【００２０】
本願の発明では、リニアシステムの回流通路内に移動し、且つ回流通路内の溝に合うために、前記連接部と保持部との高さはリニアシステムの回流通路内の溝よりも低いことを特徴とする請求項１又は２に記載のリニアガイドウェー用パレラル式ローラ仕切具であることを要旨としている。
【発明の効果】
【００２１】
本発明に係るリニアガイドウェー用パレラル式ローラ仕切具によれば、次のような効果がある。
【００２２】
（１）ローラがパレラルに配列され、転がる過程中に、ローラがズレしたり、摩擦したり、衝突したり、ジャンプしたりすることを回避でき、これにより、リニアガイドウェーはスムーズに運行できる。
【００２３】
（２）ローラ同士の摩擦および衝突は回避できるので、騒音が大幅に低減できる。
【００２４】
（３）一体成形でき、一般の樹脂射出成形技術によって快速に大量生産することが可能になる。
【発明を実施するための最良の形態】
【００２５】
以下、添付図面を参照して本発明の好適な実施の形態を詳細に説明する。
【００２６】
まず、図４乃至図７を参照する。本発明に係るリニアガイドウェー用パレラル式ローラ仕切具は、リニアシステム５０の回流通路５１内に移動し、且つ回流通路５１内の溝５２に合い、仕切部２０と、連接部３０と、保持部４０とを含む。
【００２７】
前記仕切部２０は、ローラの間に介在し、長さがローラ１０よりも短く、        薄くて長いものであり、二つの側面はゴシック円弧断面形状凹面２１であり、前記仕切部２０はゴシック円弧断面形状凹面２１でローラ１０の表面に対応する。
【００２８】
前記連接部３０は、仕切部２０と連結する構造であり、連接部３０と仕切部２０とは一体成形されたものであり、前記連接部３０の高さはリニアシステム５０の回流通路５１内の溝５２よりも低い。
【００２９】
前記保持部４０は、直列に配列された多数のローラ１０の一側に設けられ、各連接部３０と一体に連接し、そして仕切部２０と連接部３０と保持部４０とは一体成形されたものであり、なお、前記保持部４０の高さはリニアシステム５０の回流通路５１内の溝５２よりも低い。
【００３０】
図５乃至図７に示すのは本発明の運行状態を示す概略図である。本発明に係る仕切部２０は、薄くて長いものであり、長さがローラ１０よりも短く、その側面にはローラ１０と接触するためのゴシック円弧断面形状凹面２１であり、ゴシック円弧断面形状凹面２１により、仕切部２０とローラ１０との摩擦面積が低減になり、本発明の運行の順調度が向上になる。
【００３１】
また、図７を参照する。前記連接部３０は、仕切部２０と連結する構造であり、ローラ１０と直接に接触しなく、保持部４０によってローラ１０がパレラルに配列されるので、本発明の転向がもっと順調になる。
【００３２】
また、前記連接部３０と保持部４０との高さはリニアシステム５１の回流通路５１内の溝５２よりも低いので、回流通路５１内に設けられた溝５２は保持部４０と衝突し又は干渉することが難しい。
【００３３】
前記連接部３０と仕切部２０とは一体成形されたものであり、保持部４０が各連接部３０と連接するので、本発明は、一体に成形でき、且つ快速に大量生産できる構造であり、また、仕切部２０と連接部３０と保持部４０とは一定の撓み性を持つ素材で作製されたものであるので、ローラ１０の互いの摩擦や衝突が回避でき、騒音が大幅に低減できる。
【００３４】
前記連接部３０により、保持部４０と仕切部２０との相対位置が保持されるので、ローラ１０の間に介在する仕切部２０は、摺動して回流通路５１と干渉することを回避でき、且つ曲がった回流通路５１で浮き上がったり脱落したりすることも回避できる。
【００３５】
また、前記連接部３０の設計により、ローラ１０とブロックとの接触面積は低減しなく、リニアガイドウェーの負荷能力と剛性とも低減しなく、連接部３０がローラ１０に衝突される瞬間に若干のズレが許されるので、仕切部２０の弾性疲労を緩和することができ、また、保持部４０により、仕切部２０は回流通路５１と摩擦しなくなる。
【図面の簡単な説明】
【００３６】
【図１】従来の第一種類目のローラ仕切具の斜視図である。
【図２】従来の第二種類目のローラ仕切具の分解斜視図である。
【図３】従来の第三種類目のローラ仕切具の斜視図である。
【図４】本発明に係るローラ仕切具の組合状態を示す斜視図である。
【図５】本発明のローラ仕切具の一部の拡大断面図である。
【図６】本発明に係るローラ仕切具部材の運行を示す概略図である。
【図７】本発明に係るローラ仕切具部材の回流経路を示す断面図である。
【符号の説明】
【００３７】
１０      ローラ                  １１      仕切部
１２      保持チェーン            １３      仕切機構
１３１    保持部                  １４      条状部
１５      連接部
２０      仕切部                  ２１      ゴシック円弧断面形状凹面
３０      連接部
４０      保持部
５０      リニアシステム          ５１      回流通路
５２      溝
【図１】
2007010111.tif 000003
【図２】
2007010111.tif 000004
【図３】
2007010111.tif 000005
【図４】
2007010111.tif 000006
【図５】
2007010111.tif 000007
【図６】
2007010111.tif 000008
【図７】
2007010111.tif 000009